(57)【要約】【課題】風雨が換気塔に入り込んでも、この風雨の居室への直接の吹出しを極力抑えることができる換気塔構造を提供することを目的とする。【解決手段】建物の屋根２に立設された換気塔構造１において、屋根２から上方に突出する換気塔本体３と、この換気塔本体３の上面より上方に突出する換気筒４とを備えており、前記換気筒４の外周壁４ａには、この外周壁４ａの周方向に沿って複数の通気孔４ｂが形成されるとともに、これら複数の通気孔４ｂを覆うためのシート材５（５０）が外周壁４ａ上縁から垂下するようにして設けられていることを特徴とする。これにより、建物内の空気を、通気孔を介してシート材の下端側から排出できる。一方、風雨が建物内へと流入しようとする際は、風雨がシート材の表面に当たるので、このシート材が抵抗となり、風雨の建物内への流入を防ぐことができる。【選択図】図１
2008070085.tif 000002
【特許請求の範囲】
【請求項１】
建物の屋根に立設された換気塔構造において、
屋根から上方に突出する換気塔本体と、この換気塔本体の上面より上方に突出する換気筒とを備えており、
前記換気筒の外周壁には、この外周壁の周方向に沿って複数の通気孔が形成されるとともに、これら複数の通気孔を覆うためのシート材が外周壁上縁から垂下するようにして設けられていることを特徴とする換気塔構造。
【請求項２】
請求項１に記載の換気塔構造において、
前記シート材として、前記換気筒の外周壁上縁から垂下するようにして防風透湿シートが設けられていることを特徴とする換気塔構造。
【請求項３】
請求項２に記載の換気塔構造において、
前記防風透湿シートには、前記換気筒の外周壁のコーナー部の位置に対応するようにしてスリットが形成されていることを特徴とする換気塔構造。
【請求項４】
請求項１に記載の換気塔構造において、
前記シート材として、前記換気筒の外周壁上縁から垂下するようにしてメッシュシートが設けられていることを特徴とする換気塔構造。
【請求項５】
請求項１〜４のいずれか一項に記載の換気塔構造において、
前記換気塔本体には、この換気塔本体の上端部および前記換気筒を覆う換気塔カバーが装着されており、この換気塔カバーは、換気塔カバーの周壁に沿って延在し、かつ下方に向かって開口する換気部を備えていることを特徴とする換気塔構造。
【発明の詳細な説明】
【技術分野】
【０００１】
本発明は、建物内の換気を行うための換気塔構造に関する。
【背景技術】
【０００２】
従来の換気構造の一例として特許文献１に記載のものが知られている。この換気構造では、建物の屋根の棟に換気塔を立設する一方で、天井に開口部を設け、この開口部と換気塔の下端開口部をダクトで接続することによって、天井下の居室の換気を行っている。つまり、居室の空気を換気塔から外部に排気している。
【特許文献１】特開２０００−８８３０５号公報
【発明の開示】
【発明が解決しようとする課題】
【０００３】
ところで、上記従来の換気構造では、屋根の棟、すなわち屋根の最も高い部分に換気塔を立設しているので、この換気塔は風の影響を受け易い。つまり、換気塔は主に、建物内の居室の空気を外部に排気する際に使用されるが、外部の風が強い場合、逆に風が換気塔から入り込んでしまう。換気塔に入り込んだ風は、ダクトに沿ってほぼ一直線状に流れて、天井に設けられた開口部から居室に吹出す場合がある。換気塔は排気に使用されるものであるので、換気塔から外部の空気が逆流すると、建物内の換気効率が低下してしまう可能性がある。
その上、例えば台風などの程度の強い風雨時においては、風とともに雨が換気塔から居室へと入り込んでしまう場合があるため、防水性の向上も図ることが可能な技術の開発が強く望まれていた。
【０００４】
本発明の課題は、風雨が換気塔に入り込んでも、この風雨の居室への直接の吹出しを極力抑えることができる換気塔構造を提供することを目的とする。
【課題を解決するための手段】
【０００５】
請求項１に記載の発明は、例えば図１〜図３に示すように、建物の屋根２に立設された換気塔構造１において、
屋根２から上方に突出する換気塔本体３と、この換気塔本体３の上面より上方に突出する換気筒４とを備えており、
前記換気筒４の外周壁４ａには、この外周壁４ａの周方向に沿って複数の通気孔４ｂが形成されるとともに、これら複数の通気孔４ｂを覆うためのシート材５（５０）が外周壁４ａ上縁から垂下するようにして設けられていることを特徴とする。
【０００６】
請求項１に記載の発明によれば、前記シート材５（５０）が外周壁４ａ上縁から垂下するようにして設けられていることから、シート材５（５０）の上端は外周壁４ａ上縁に固定され、シート材５（５０）の下端は揺動可能となるので、建物内の空気を、前記通気孔４ｂを介して前記シート材５（５０）の下端側から排出できる。一方、風雨が建物内へと流入しようとする際は、風雨がシート材５（５０）の表面に当たるので、このシート材５（５０）が抵抗となり、風雨の建物内への流入を防ぐことができる。
これによって、例えば台風などの程度の強い風雨時において、風雨が換気塔１に入り込んでも、この風雨の居室への直接の吹出しを極力抑えることが可能となる。
【０００７】
請求項２に記載の発明は、例えば図２（ａ）に示すように、請求項１に記載の換気塔構造１において、
前記シート材として、前記換気筒４の外周壁４ａ上縁から垂下するようにして防風透湿シート５が設けられていることを特徴とする。
【０００８】
ここで、前記防風透湿シート５とは、風が強く吹いても空気や湿気が少しずつしか通過しないシートであり、すなわち、防風性と通気性とを有するとともに、防水性と透湿性とを有するものである。この防風透湿シートとしては、布、不織布、連続気泡の発泡シートをはじめ、繊維をシート状に積層させたもの、多孔質のフィルムに強度の強い樹脂をラミネートしたもの等がある。
【０００９】
請求項２に記載の発明によれば、前記シート材として、前記換気筒４の外周壁４ａ上縁から垂下するようにして防風透湿シート５が設けられているので、建物内の湿気や空気を、前記通気孔４ｂを介して前記防風透湿シート５の下端側から排出できるだけでなく、防風透湿シート５を通過させて排出できる。
一方、風雨が建物内へと流入しようとする際は、風雨が防風透湿シート５の表面に当たることによって失速するので、防風透湿シート５に当たって失速した風は、建物内に少しずつしか吹き込むことができなくなる。一方、防風透湿シート５の表面に当たった雨は遮られることになるので、建物内へと流入することを防ぐことができる。
【００１０】
請求項３に記載の発明は、例えば図２（ｂ）に示すように、請求項２に記載の換気塔構造１において、
前記防風透湿シート５には、前記換気筒４の外周壁４ａのコーナー部の位置に対応するようにしてスリット５ａが形成されていることを特徴とする。
【００１１】
請求項３に記載の発明によれば、前記防風透湿シート５に、前記換気筒４の外周壁４ａのコーナー部の位置に対応するようにしてスリット５ａが形成されることで、前記防風透湿シート５の下端が揺動し易くなるので、この防風透湿シート５の下端側から建物内の空気をより簡単に排出できる。
【００１２】
請求項４に記載の発明は、例えば図３に示すように、請求項１に記載の換気塔構造１において、
前記シート材として、前記換気筒４の外周壁４ａ上縁から垂下するようにしてメッシュシート５０が設けられていることを特徴とする。
【００１３】
請求項４に記載の発明によれば、前記シート材として、前記換気筒４の外周壁４ａ上縁から垂下するようにしてメッシュシート５０が設けられているので、建物内の湿気や空気を、前記通気孔４ｂを介して前記メッシュシート５０の下端側から排出できるだけでなく、前記メッシュシート５０を通過させて排出できる。特に、このメッシュシート５０の場合、例えば網状ではないシート材を設けた場合に比して、通過する空気の量が多くなるので、建物内の空気を効率良く排出することができる。一方、建物内へと流入しようとする風雨は、前記メッシュシート５０によってある程度遮られるので、風雨の建物内への流入を極力防ぐことができる。
【００１４】
請求項５に記載の発明は、例えば図１および図４に示すように、請求項１〜４のいずれか一項に記載の換気塔構造１において、
前記換気塔本体３には、この換気塔本体３の上端部および前記換気筒４を覆う換気塔カバー７が装着されており、この換気塔カバー７は、換気塔カバー７の周壁に沿って延在し、かつ下方に向かって開口する換気部７ａを備えていることを特徴とする。
【００１５】
請求項５に記載の発明によれば、前記換気塔カバー７は、この換気塔カバー７の周壁に沿って延在し、かつ下方に向かって開口する換気部７ａを備えているので、建物内の空気を、前記換気塔カバー７の内部を通過させるとともに、前記換気部７ａから屋外へと排出することができる。
また、前記換気部７ａが下方に向かって開口しているので、建物内に流入しようとする風雨は、まず、前記換気部７ａの位置で真上方向に向きを換えて換気部７ａの内側に侵入し、その直後、水平方向に向きを換えてから換気塔カバー７の内部に流入しなければならない。そして、前記複数の通気孔４ｂへと達する間に風雨の流入速度が低下するので、風雨の建物内への流入を防ぐことができる。
【発明の効果】
【００１６】
本発明によれば、シート材が外周壁上縁から垂下するようにして設けられていることから、シート材の上端は外周壁上縁に固定され、シート材の下端は揺動可能となるので、建物内の空気を、換気筒の通気孔を介してシート材の下端側から排出できる。一方、風雨が建物内へと流入しようとする際は、風雨がシート材の表面に当たるので、このシート材が抵抗となり、風雨の建物内への流入を防ぐことができる。
これによって、例えば台風などの程度の強い風雨時において、風雨が換気塔に入り込んでも、この風雨の居室への直接の吹出しを極力抑えることが可能となる。
【発明を実施するための最良の形態】
【００１７】
以下、図面を参照して本発明の実施の形態について説明する。
【００１８】
本実施の形態の換気塔構造１は、図１および図２に示すように、建物の屋根２に立設されたものであり、屋根２から上方に突出する換気塔本体３と、この換気塔本体３の上面より上方に突出する換気筒４とを備えており、前記換気筒４の外周壁４ａには、この外周壁４ａの周方向に沿って複数の通気孔４ｂが形成されるとともに、これら複数の通気孔４ｂを覆うためのシート材５が外周壁４ａ上縁から垂下するようにして設けられている。
【００１９】
本実施の形態の換気塔１は、図１に示すように、四角形筒状に形成され、建物の屋根２の立設されるものである。
この屋根２の傾斜面２ａには四角形状の開口部２ｂが形成されており、この開口部２ｂの外周縁部に前記換気塔１が立設されている。換気塔１の、屋根２の軒先側の下端部には、結合桁２ｃが前記開口部２ｂ内に突出するようにして設けられており、この結合桁２ｃは開口部２ｂの内面に固定されたパッキン材２ｄに当接されている。これによって換気塔１は屋根２の傾斜面２ａに沿って滑り落ちないようになっている。また、換気塔１は屋根２に図示しない鋼製ガセットによって緊結されている。
【００２０】
また、前記換気塔１は、木質の矩形板状の構造用パネルを四角筒状に組み立てるとともに、その上端開口部に同様の構造用パネルを水平に固定することによって、前記換気塔本体３が構成されている。そして、水平に固定された構造用パネルには、四角形状の孔３ａが形成されている。
【００２１】
さらに、前記換気筒４は、四角筒状に形成されており、その下端を孔３ａの下端に一致させて挿入固定されている。換気筒４の上部は換気塔本体３の上面より上方に突出しており、その上端開口部にはフード６が装着され、このフード６によって換気筒４の上端開口部が閉塞されている。
【００２２】
そして、上述のように前記換気筒４の外周壁４ａには、この外周壁４ａの周方向に沿って複数の通気孔４ｂが形成されている。この通気孔４ｂはガラリを備えており、これにより、換気筒４の内外の通気路を確保できるとともに、ガラリの隙間から換気筒４内へ雨水等が浸入するのを防ぐことができる。
【００２３】
一方、前記換気塔本体３には、図１に示すように、この換気塔本体３の上端部および前記換気筒４を覆う換気塔カバー７が装着されており、この換気塔カバー７は、図４に示すように、換気塔カバー７の周壁に沿って延在し、かつ下方に向かって開口する換気部７ａを備えている。また、この換気部７ａは換気塔カバー７の内部と連通している。
【００２４】
したがって、換気筒４内を上昇してきた空気は、前記複数の通気孔４ｂから吹出し、さらに、換気塔カバー７の内部を通って、換気部７ａから外部に吹出すようになっている。つまり、建物内の空気を、前記換気塔カバー７の内部を通過させるとともに、前記換気部７ａから屋外へと排出することができる。
また、前記換気部７ａが下方に向かって開口しているので、建物内に流入しようとする風雨は、まず、前記換気部７ａの位置で真上方向に向きを換えて換気部７ａの内側に侵入し、その直後、水平方向に向きを換えてから換気塔カバー７の内部に流入しなければならない。そして、前記複数の通気孔４ｂへと達する間に風雨の流入速度が低下するので、風雨の建物内への流入を防ぐことができる。
【００２５】
なお、換気塔カバー７の裏面とフード６の表面との間には結露防止断熱材８が設けられている。また、換気塔本体３の外周壁には外壁材９が取り付けられており、内周壁には石膏ボード等の耐火材１０が取り付けられている。この耐火材１０の下端部は前記屋根２に形成された開口部２ｂの内周面まで延びて、該内周面に固定されている。
さらに、換気塔本体３の下面は、屋根２の傾斜面２ａに沿う傾斜面となっており、これによって傾斜面２ａに隙間無く設置されている。
【００２６】
前記シート材５は、図２（ａ）に示すように、前記換気筒４の外周壁４ａの周方向に沿って、かつ外周壁４ａ上縁から垂下するようにして設けられている。
なお、このシート材５は、換気筒４の外周壁４ａ上縁と前記フード６の裏面との間に挟み込まれるようにして設けられている。また、このシート材５の垂設方法は、例えば前記フード６の裏面にフック（図示せず）等を設けて、このフックにシート材５を引っ掛けたり、換気筒４の外周壁４ａ上縁またはフード６の裏面に接着剤で貼り付けたり等、適宜変更可能である。
【００２７】
本実施の形態のシート材として、防風透湿シート５が用いられている。防風透湿シート５とは、例えば風が強く吹いても空気や湿気が少しずつしか通過しないものであって、布、不織布、連続気泡の発泡シート、繊維をシート状に積層させたもの等があるが、本実施の形態においては不織布が用いられている。
【００２８】
そして、このようにシート材として、前記換気筒４の外周壁４ａ上縁から垂下するようにして防風透湿シート５が設けられているので、建物内の湿気や空気を、前記通気孔４ｂを介して前記防風透湿シート５の下端側から排出できるだけでなく、防風透湿シート５を通過させて排出できる。
一方、風雨が建物内へと流入しようとする際は、風雨が防風透湿シート５の表面に当たることによって失速するので、防風透湿シート５に当たって失速した風は、建物内に少しずつしか吹き込むことができなくなる。一方、防風透湿シート５の表面に当たった雨は遮られることになるので、建物内へと流入することを防ぐことができる。
【００２９】
また、前記防風透湿シート５には、図２（ｂ）に示すように、前記換気筒４の外周壁４ａのコーナー部の位置に対応するようにしてスリット５ａが形成されている。これによって、前記防風透湿シート５の下端が揺動し易くなるので、この防風透湿シート５の下端側から建物内の空気をより簡単に排出できる。
【００３０】
なお、本実施の形態のシート材として、上記のように防風透湿シート５を用いたが、これに限られるものではなく、本発明の趣旨を逸脱しない範囲で適宜変更可能である。すなわち、例えばシート材として、図３に示すように、メッシュシート５０を用いるようにしても良い。
【００３１】
このメッシュシート５０は、グラスファイバー製のものや塩化ビニール製のもの等が挙げられ、前記換気筒４の外周壁４ａの周方向に沿って、かつ外周壁４ａ上縁から垂下するようにして設けられるようになっている。
【００３２】
そして、このようにシート材として、前記換気筒４の外周壁４ａ上縁から垂下するようにしてメッシュシート５０が設けられているので、建物内の湿気や空気を、前記通気孔４ｂを介して前記メッシュシート５０の下端側から排出できるだけでなく、前記メッシュシート５０を通過させて排出できる。特に、このメッシュシート５０の場合、例えば網状ではないシート材を設けた場合に比して、通過する空気の量が多くなるので、建物内の空気を効率良く排出することができる。
一方、建物内へと流入しようとする風雨は、前記メッシュシート５０によってある程度遮られるので、風雨の建物内への流入を極力防ぐことができるようになっている。
【００３３】
本実施の形態によれば、前記シート材５（５０）が外周壁４ａ上縁から垂下するようにして設けられていることから、シート材５（５０）の上端は外周壁４ａ上縁に固定され、シート材５（５０）の下端は揺動可能となるので、建物内の空気を、前記通気孔４ｂを介してシート材５（５０）の下端側から排出できる。一方、風雨が建物内へと流入しようとする際は、風雨がシート材５（５０）の表面に当たるので、このシート材５（５０）が抵抗となり、風雨の建物内への流入を防ぐことができる。
これによって、例えば台風などの程度の強い風雨時において、風雨が換気塔１に入り込んでも、この風雨の居室への直接の吹出しを極力抑えることが可能となる。
【図面の簡単な説明】
【００３４】
【図１】本発明に係る換気塔構造の一例を示す断面図である。
【図２】換気筒を示す斜視図であり、（ａ）は換気筒の外周壁に防風透湿シートが設けられたことを示し、（ｂ）は防風透湿シートにスリットが形成されたことを示す。
【図３】換気筒の外周壁にメッシュシートが設けられたことを示す斜視図である。
【図４】換気塔カバーの換気部を示す断面図である。
【符号の説明】
【００３５】
１  換気塔構造
２  屋根
３  換気塔本体
４  換気筒
５  シート材（防風透湿シート）
５０  シート材（メッシュシート）
【図１】
2008070085.tif 000003
【図２】
2008070085.tif 000004
【図３】
2008070085.tif 000005
【図４】
2008070085.tif 000006